(57)【要約】      （修正有）【課題】開封し易い包装箱を提供する。【解決手段】前後板１、両側板、底板、蓋板７、差し込み片１０及びフラップ片１２からなり、差し込み片を後板の内側に差し込んで封緘する包装箱である。その蓋板と差し込み片との連接部の折り目線ｒ１を蓋板側凸の円弧状とする。差し込み片を後板の内側に差し入れると、差し込み片と後板との間に指掛け空隙Ｓを形成する。その空隙を介し折り目線ｒ１から成る縁に指先を掛けて蓋片を引き上げれば、容易に開封することができる。折り目線ｒ１はその両端を後板に沿う直線状部、その中央部を蓋板側に向かって凸の円弧状とすれば、蓋板の先端縁の両端部が後板に当接して差し込み片の嵌り強度が増すと共に蓋上面も見栄えの良いものとなる。後板の先端縁に吊り下げ片１１が連接されても、その吊り下げ片が邪魔になることなく、空隙Ｓを介して前記縁に指先を容易に引っ掛けて蓋板を起こすことができる。【選択図】図２
2016043941.tif 000002
【特許請求の範囲】
【請求項１】
前板（１）、後板（３）、両側板（２、２）、底板（５、６）及び前記前板（１）に折り目線（ｒ）を介して連接された蓋板（７）を有し、前記蓋板（７）の先端縁に折り目線（ｒ１）を介して差し込み片（１０）が設けられ、前記蓋板（７）を前記折り目線（ｒ）を介し後板（３）側に折り曲げ、さらに、前記差し込み片（１０）を、前記折り目線（ｒ１）を介し折り曲げるとともに前記後板（３）の内側に差し入れて封緘する四角状包装箱（Ｐ１、Ｐ２）であって、
上記蓋板（７）の先端縁の折り目線（ｒ１）を前記蓋板（７）側に向かって凸の円弧状として、前記差し込み片（１０）を上記後板（３）の内側に差し入れると、差し込み片（１０）と前記後板（３）との間に指掛け空隙（Ｓ）が形成されることを特徴とする四角状包装箱。
【請求項２】
上記蓋板（７）の先端縁の折り目線（ｒ１）を、その両端部を上記後板（３）に沿う直線状、その中央部を上記蓋板（７）側に向かって凸の円弧状としたことを特徴とする請求項１に記載の四角状包装箱。
【請求項３】
上記後板（３）の先端縁に吊り下げ片（１１）を連接したことを特徴とする請求項１又は２に記載の四角状包装箱。
【発明の詳細な説明】
【技術分野】
【０００１】
この発明は、蓋板によって封止（封緘）する四角状包装箱に関するものである。
【背景技術】
【０００２】
この種の四角状包装箱の一例を、この発明の一実施形態を示す図１、図２を参照して説明すると、前板１、後板３、両側板２、２、底板５、６及び蓋板７を有し、蓋板７の先端縁に差し込み片１０が設けられ、両側板２、２の先端縁にフラップ片１２、１２をそれぞれ設けたブランクからなるものがある。
【０００３】
このブランクは、前板１、一対の側板２、２及び後板３を各折り目線ｒを介し折り曲げて、継代片４を側板２に貼り付けることにより枠状周壁を形成し、対向する底板５、６同士及び隣接する底板５、６を折り目線ｒを介し内側に折り曲げるとともに底板５、６の１組ずつを貼り合わせた後、噛み合わせて底面を閉して、上面開放の包装箱を構成する。
その後、箱内に商品を収納し、まず、対のフラップ片１２、１２を内側水平方向へ折り曲げ、続いて、蓋板７を同様に内側水平方向へ（後板３に向かって）折り曲げるとともに、差し込み片１０を折り目線ｒ１を介し折り曲げるとともに後板３の内側に差し入れて封緘する（特許文献１、請求項１、図１〜図３参照）。
【０００４】
この包装箱の開封は、蓋板７と差し込み片１０の折り目線ｒ１から成る縁に指先を掛け、その指でもって蓋板７を起こすことによって行う（本願図４参照）。
【先行技術文献】
【特許文献】
【０００５】
【特許文献１】特開２００３−１６５５２９号公報
【発明の概要】
【発明が解決しようとする課題】
【０００６】
上記従来の包装箱は、蓋板７と差し込み片１０の折り目線ｒ１は真っ直ぐであるため（折り目線ｒ参照）、封緘時においては、その折り目線から成る縁は、後板３の内面にピッタリ沿った（当接した）状態となる。
このため、開封時、その折り目線から成る縁に指先を掛けづらく、子供や老人にとっては煩わしいものとなっている。特に、後板３の先端縁に吊り下げ片が連接されたものであると（本願図１、図２（ａ）の符号１１参照）、その吊り下げ片が邪魔になって、蓋板７と差し込み片１０の折り目線から成る縁に指先を掛け難く、その煩わしさは増す。
【０００７】
この発明は、以上の実状の下、上記蓋板７を開け易くすることを課題とする。
【課題を解決するための手段】
【０００８】
上記課題を達成するため、この発明は、上記蓋板７から差し込み片１０への折り目線ｒ１を蓋板７側に向かって凸の円弧状としたのである。
その折り目線ｒ１が蓋板７に向かって凸の円弧状であると、上記差し込み片１０を差し入れた際、差し込み片１０と後板３との間に前記凸の円弧状折り目線ｒ１による空隙が形成される。
このため、その空隙に指先を引っかけて蓋板７を引き上げて開けることができる。
【０００９】
この発明の具体的な構成としては、前板、後板、両側板、底板及び前板に折り目線を介して連接された蓋板を有し、前記蓋板の先端縁に折り目線を介して差し込み片が設けられ、蓋板を折り目線を介し後板側に折り曲げ、さらに、差し込み片を、折り目線を介し折り曲げるとともに後板の内側に差し入れて封緘する四角状包装箱において、前記蓋板の先端縁の折り目線を蓋板側に向かって凸の円弧状とし、差し込み片を後板の内側に差し入れると、差し込み片と後板との間に指掛け空隙が形成される構成を採用することができる。
【００１０】
この構成において、上記蓋板の先端縁の折り目線を、その両端を後板に沿う直線状部、その中央部を蓋板側に向かって凸の円弧状とすれば、蓋板の先端縁の両端部が後板に当接して差し込み片の嵌り（差し込み）強度が増すと共に蓋上面も見栄えの良いものとなる。
また、後板の先端縁に吊り下げ片が連接されたものであると、その吊り下げ片が邪魔になって、蓋板と差し込み片の折り目線から成る縁に指先を掛け難いが、上記空隙のあることによってそのようなことがなく、その空隙を介して前記縁に指先を容易に引っ掛けて蓋板を起こすことができる。
【発明の効果】
【００１１】
この発明は、以上のように構成したので、開封が容易な包装箱となる。
【図面の簡単な説明】
【００１２】
【図１】この発明に係る包装箱の一実施形態のブランクの平面図
【図２】同実施形態の組立説明用斜視図であり、（ａ）は組立完了時、（ｂ）は蓋の封緘前時
【図３】図２（ａ）の平面図
【図４】同実施形態の作用説明用断面図
【図５】他の実施形態のブランクの平面図
【図６】同実施形態の組立完了時の平面図
【発明を実施するための形態】
【００１３】
この発明に係わる四角状包装箱の一実施形態を図１〜図４に示し、この包装箱Ｐ１は、図１に示すボール紙製ブランクから形成される。このブランクは、前板１、側板２、後板３及び側板２が直線状折り目線ｒを介して順々に連設され、前板１に継代片４が直線状折り目線ｒを介して連設されている。
前板１及び後板３の下端には底板５が、各側壁２の下端には底板６がそれぞれ直線状折り目線ｒを介して連設され、前板１の上端縁には蓋板７が直線状折り目線ｒを介して連接され、さらに、その蓋板７の先端縁から円弧状折り目線ｒ１を介して差し込み片１０が連接されている。後板３の上端縁には吊り下げ片１１が直線状折り目線ｒを介して連接されている。その吊り下げ片１１には適宜な位置に吊り下げ用孔１３を形成することができ（図２ａ参照）、また、広告や効能等を適宜に記載して看板としての機能を発揮させることもできる。この吊り下げ片１１は省略し得る。
また、側板２、２にはその先端縁からフラップ片１２、１２がそれぞれ直線状折り目線ｒを介して連設されている。なお、図中、細線は折り目線ｒ、ｒ１、太線は切り目線（切断線）を示す。
【００１４】
上記蓋板７と差し込み片１０との連接部をなす（蓋板７先端縁の）円弧状折り目線ｒ１は蓋板７側に向かって（図１において右側）凸となっている。このため、この折り目線ｒ１を介し、蓋板７に対して差し込み片１０を内側（蓋板７側）に折り曲げると、差し込み片１０は円弧状折り目線ｒ１によって内側凸状に反った状態となる（図２（ａ）、図３参照）。この反りによって、差し込み片１０と後板３との間に指掛け空隙Ｓが形成される。
【００１５】
この実施形態の包装箱Ｐ１は以上の構成であり、図１に示すブランクを組み立てて商品を包装するには、従来と同様に、図２に示すように、前板１、一対の側板２、２及び後板３を各折り目線ｒを介し内側に折り曲げて、継代片４を後板３に貼り付けることにより枠状周壁を形成し、対向する底板５、６同士及び隣接する底板５、６を周知の方法によって折り目線ｒを介し内側に折り曲げるとともに底板５、６の１組ずつを貼り合わせた後、噛み合わせて底面を閉止する（図２（ｂ）の状態）。
その後、包装箱Ｐ１内に商品を収納し、まず、フラップ１２、１２を内側に折り曲げ、続いて、蓋板７を折り目線ｒを介して閉じ、そのとき、差し込み片１０を、後板３の内側に差し入れて封緘する（図２（ａ）の状態）。
【００１６】
この封緘状態において、差し込み片１０と後板３との間に指掛け空隙Ｓが形成される（図３、図４参照）。このため、図４鎖線に示すように、その空隙Ｓに指先を掛けて蓋片７を引き上げれば、容易に開封することができる。
【００１７】
図５〜図６は他の実施形態を示し、この実施形態の包装箱Ｐ２は、上記実施形態において、蓋板７と差し込み片１０との連接用（蓋板７先端縁の）折り目線ｒ１の凸状部分を折り目線の全長ではなく、その適宜な長さＬの中央部分とし、両端部を直線状としたものである。その凸状部分は折り目線ｒ１の中央線に対して対称とすることが好ましく、その凸状部分の長さＬは、実線や鎖線で示すように、指先が引っ掛り得る空隙Ｓの左右長さを考慮して適宜に決定すれば良いが、例えば、前板１の幅が１０２ｍｍの場合、５０ｍｍ、８０ｍｍ等とする。凸状の突出長さｔも、指先を引っ掛け得る空隙Ｓの幅を考慮して適宜に決定すれば良いが、例えば、同場合、２．５ｍｍとする。この突出長さｔは上記包装箱Ｐ１においても、同様に、例えば、前板１の幅が１０２ｍｍの場合、２．５ｍｍ等と適宜に決定する。折り目線ｒ１は、一端が直線状、その他の部分が円弧状でも良い（直線部分は一端部のみでも良い）。
【００１８】
この実施形態の包装箱Ｐ２も上記包装箱Ｐ１と同様にして組み立て、箱Ｐ２内に商品を収納し、差し込み片１０を、後板３の内側に差し入れて封緘する（図６の状態）。この封緘状態においても、同様に、差し込み片１０と後板３との間に指掛け空隙Ｓが形成されるため、その空隙Ｓに指先を掛けて蓋片７を引き上げれば、容易に開封することができる。
また、この包装箱Ｐ２は、蓋板７の先端縁の両端部が後板３に当接しているため、差し込み片７の嵌り強度が増すと共に蓋上面も見栄えの良いものとなっている。
【００１９】
上記各実施形態は、符号「１」の板を前板としたが、図示の符号「２」、「３」の板を前板とする包装箱においてもこの発明を採用し得ることは勿論であり、その際、蓋板７、差し込み片１０はその前板とした板２、３に連接することとなる。
また、この発明に係る四角状包装箱の材料は、ボール紙に限らず、プラスチック板、ダンボール紙等の種々のものを採用できる。プラスチック製の場合、前板１、側板２、後板３及び底板５、６を一体成形の有底枠状周壁からなる四角箱とし、蓋板７を折り曲げ線ｒを介して連接した包装箱とし得る。すなわち、前板１、側板２、後板３及び底板５、６の相互間の連接部に折り目線ｒを有さず、蓋板７の先端縁の折り目線ｒ１を蓋板７側に向かって凸の円弧状とした包装箱もこの発明には含まれる。
【符号の説明】
【００２０】
Ｐ１、Ｐ２  包装箱
Ｓ  空隙
ｒ  直線状折り目線
ｒ１  円弧状折り目線
１  前板
２  側板
３  後板
４  継代片
５、６  底板
７  蓋板
１０  差し込み片
１１  吊り下げ片
１２  フラップ片
【図１】
2016043941.tif 000003
【図２】
2016043941.tif 000004
【図３】
2016043941.tif 000005
【図４】
2016043941.tif 000006
【図５】
2016043941.tif 000007
【図６】
2016043941.tif 000008